(57)【特許請求の範囲】
【請求項１】
毛髪やごみ等を引っ掛ける複数の捕集リブが放射状に設けられ、排水管内に装着されるヘアーキャッチャーを備える排水栓用ヘアーキャッチャーであって、
前記ヘアーキャッチャーは複数の捕集リブが下方向へ略円錐状に拡がる第１の捕集リブとこの第１の捕集リブの先端部から連続的に上方向に延設され前記排水管内に装着された状態で該排水管の内壁に向かう第２の捕集リブとからなるＶ字形状ヘアーキャッチャーであることを特徴とする排水栓用ヘアーキャッチャー。
【請求項２】
請求項１に記載の排水栓用ヘアーキャッチャーであって、
前記Ｖ字形状ヘアーキャッチャーに加えて、リングとこのリングに向けて中心部の筒軸から放射状に形成され、上面が前記筒軸に向かって登り傾斜の捕集リブとからなる水平形状ヘアーキャッチャーを備えることを特徴とする排水栓ヘアーキャッチャー。
【発明の詳細な説明】
【技術分野】
【０００１】
本発明は、洗面化粧台等の排水口に装着して毛髪やごみを捕集するのに用いる排水栓用ヘヤーキャッチャーに関し、詳しくは、排水性能を保持し清掃性が向上する排水栓用ヘヤーキャッチャーの技術に関する。
【背景技術】
【０００２】
従来、パラソル型ヘアーキャッチャーを備える排水栓用ヘヤーキャッチャーの構成に関しては、特許文献１の記載内容が知られている。この特許文献１によれば、図６に示すように、洗面ボウル１３の底部には排水開口部１３ａが形成され、この排水開口部１３ａに排水管１４が装着される。この排水管１４の途中にはオーバーフロー管１６の開口部１５が設けられる。
【０００３】
排水栓用ヘヤーキャッチャー１２は、排水開口部１３ａを開閉するための円盤状のケレップ１の下端部にケレップ１と直角に軸２に備え、この軸２にヘアーキャッチャー１１を筒軸１０を介して摺動自在に挿通し、軸２の下端部に図示しない重りが装着される。
【０００４】
ヘアーキャッチャー１１は、外周部に捕集突起７を備える円筒状の筒体８と、筒体８の上方に設けられて筒軸１０との間に放射状に形成される捕集リブ５とからなり、この放射状の捕集リブ５が筒軸１０から筒体８に向かって徐々に高さが低くなるように略円錐形状（パラソル型）に形成される。この排水栓用ヘヤーキャッチャー１２を使用することによって、排水口に毛髪やごみが流れこんでもヘアーキャッチャー１１の捕集リブ５に引っ掛かって捕集される。  
【０００５】
このとき、捕集リブ５がパラソル型に斜め下方に広がっているので毛髪やごみが捕集リブ５の下方に集まるので、上方の捕集リブ５間の排水開口部４はあまり塞がることがないので、毛髪やごみのキャッチ率を下げずに十分な排水能力を確保することができる。
【特許文献１】特許第３４６２６７１号公報
【発明の開示】
【発明が解決しようとする課題】
【０００６】
ところが、下方に集まった毛髪やごみは排水管の壁にも堆積付着するので、ヘアーキャッチャー１１を引き抜いて清掃する際に、排水管の壁の堆積物が簡単に除去できないという問題があった。そこで、本発明は上記問題点を解決して、排水性能の低下を防ぐとともに、清掃性が向上する排水栓用ヘヤーキャッチャーを提供することを目的とする。
【課題を解決するための手段】
【０００７】
請求項１の発明は、毛髪やごみ等を引っ掛ける複数の捕集リブが放射状に設けられ、排水管内に装着されるヘアーキャッチャーを備える排水栓用ヘアーキャッチャーであって、前記ヘアーキャッチャーは複数の捕集リブが下方向へ略円錐状に拡がる第１の捕集リブとこの第１の捕集リブの先端部から連続的に上方向に延設され前記排水管内に装着された状態で該排水管の内壁に向かう第２の捕集リブとからなるＶ字形状ヘアーキャッチャーであることを特徴とする。
【０００８】
請求項２の発明は、請求項１に記載の排水栓用ヘアーキャッチャーであって、
前記Ｖ字形状ヘアーキャッチャーに加えて、リングとこのリングに向けて中心部の筒軸から放射状に形成され、上面が前記筒軸に向かって登り傾斜の捕集リブとからなる水平形状ヘアーキャッチャーを備えることを特徴とする。
【発明の効果】
【０００９】
請求項１記載の発明によれば、前記ヘアーキャッチャーは複数の捕集リブが下方向へ略円錐形状に拡がる第１の捕集リブとこの第１の捕集リブの先端部から連続的に上方向に延設される第２の捕集リブとからなるＶ字形状ヘアーキャッチャーなので、Ｖ字形状の底部に毛髪やごみが纏まるので毛髪やごみを容易に取除くことができる。
【００１０】
さらに、Ｖ字形状の底部に毛髪やごみが纏まるので、第１の捕集リブと第２の捕集リブの上端部の排水開口が塞がらない状態を長く保持できるため排水性が向上する。さらに、第１の捕集リブと第２の捕集リブの上端部とに排水開口が２箇所あるので排水開口が同時に塞がる可能性が減少するため排水性が向上する。
【００１１】
請求項２記載の発明によれば、Ｖ字形状ヘアーキャッチャーの第１の捕集リブと第２の捕集リブの上端部の排水開口が２箇所確保できるので排水開口が同時に塞がる可能性が減少するため排水性が向上する。このため、Ｖ字形状ヘアーキャッチャーを水平形状ヘアーキャッチャーの下流側に備えると、Ｖ字形状ヘアーキャッチャーの排水がオーバーフロー管からボウル内に逆流する現象を防止することができる。
【発明を実施するための最良の形態】
【００１２】
以下に、本発明の第１の実施形態を図１に基づいて説明する。なお、図６、図７に示した排水栓用ヘヤーキャッチャーと同等部分については、適宜に同一符号を付して説明する。
＜排水栓用ヘヤーキャッチャーの構成＞  
【００１３】
図１に示すように、洗面ボウル１３の底部には排水開口部１３ａが形成され、この排水開口部１３ａに排水管１４が装着される。この排水管１４の途中には開口部１５が設けられ、この開口部１５に形成されるスリーブジョイント１８にオーバーフロー管１６の一端部１７を嵌合し、図示しないオーバーフロー管の他端部は洗面ボウル１３の上部側壁に形成されるオーバーフロー開口部に取付けられる。
【００１４】
本発明の排水栓用ヘヤーキャッチャー３０は毛髪やごみ等を引っ掛ける複数の捕集リブ３２が放射状に設けられたヘアーキャッチャー３１を二組備えている。一方のヘアーキャッチャー３１は複数の捕集リブ３２が下方向へ略円錐形状に拡がる第１の捕集リブ３２ａとこの第１の捕集リブ３２ａの先端部３３から連続的に上方向に延設される第２の捕集リブ３２ｂとからなるＶ字形状ヘアーキャッチャー３１ａである。
【００１５】
他のヘアーキャッチャー３１は複数の捕集リブ３２ｃが水平な放射状に形成される水平形状ヘアーキャッチャー３１ｂである。そして、Ｖ字形状ヘアーキャッチャー３１ａと水平形状ヘアーキャッチャー３１ｂは筒軸３４を介して上下に連結されている。（Ｖ字形状ヘアーキャッチャー３１ａが上部に配置される。）
【００１６】
排水栓用ヘヤーキャッチャー３０は排水開口部１３ａを開閉するための円盤状のケレップ１の下端部にケレップ１と直角に軸２を備え、この軸２にＶ字形状ヘアーキャッチャー３１ａと水平形状ヘアーキャッチャー３１ｂを筒軸３４を介して摺動自在に挿通し、軸２の下端部に重り３が装着される。なお、図１における排水栓用ヘヤーキャッチャー３０は、排水管１４内に排水栓用ヘヤーキャッチャー３０が挿入されるとともにケレップ１が持ち上げられて排水開口部１３ａが開放された状態である。
【００１７】
「ヘアーキャッチャー３１の詳細構造」
図２、図３、図４に示すように、Ｖ字形状ヘアーキャッチャー３１ａの形状は、外径Ｇ＝３５ｍｍ、水平幅Ｑ５＝１、５ｍｍ、厚みＱ２＝ｍｍのリング４２と筒軸３４間を、第１の捕集リブ３２ａと第２の捕集リブ３２ｂが角度θ１＝３０度毎に放射状に連結して形成される。第１の捕集リブ３２ａは厚みＱ１＝１、５ｍｍ、幅Ｓ１＝１、５ｍｍ、角度α＝４０度であり、第２の捕集リブ３２ｂは厚みＱ６＝１、０ｍｍ、幅Ｓ１＝１、５ｍｍ、角度β＝９０度で、第１の捕集リブ３２ａと第２の捕集リブ３２ｂはＶ字形状に形成される。Ｖ字形状の底部が捕集部４４となる。
【００１８】
水平形状ヘアーキャッチャー３１ｂの形状は、外径Ｇ＝３５ｍｍにおける幅Ｑ３＝１、５ｍｍ、厚みＱ４＝１、５ｍｍのリング４０と、リング４０と筒軸３４間を厚みＳ２＝１、５ｍｍの捕集リブ３２ｃが角度θ２＝４５度毎に放射状に連結して排水開口４５が形成される。なお、捕集リブ３２ｃの上面がリング４０から筒軸３４に向かってθ３＝１０度の傾斜で徐々に厚くなるように形成される。
【００１９】
筒軸３４は高さＨ＝４０ｍｍ、外直径Ｇ２＝１１ｍｍ、内直径Ｇ３＝８ｍｍであり、筒軸３４の下端部３４ａから高さＨ２＝２ｍｍの位置Ｐ１に水平形状ヘアーキャッチャー３１ｂの下面を合わせて水平形状ヘアーキャッチャー３１ｂが取付けられる。そして、Ｖ字形状ヘアーキャッチャー３１ａが、位置Ｐ１から高さＨ１＝３１ｍｍのレベルにＶ字形状ヘアーキャッチャー３１ａの外周上端部Ｐ２が合致するように筒軸３４の上端部３４ｂ近傍に固着される。
【００２０】
＜排水栓用ヘヤーキャッチャーの作用＞
図１、図２に基づいて、排水栓用ヘヤーキャッチャーの作用を説明する。
排水開口部１３ａを開放する場合は、まず閉鎖状態の排水開口部１３ａからケレップ１を図示しない方法で持ち上げることで軸２が連動して持ち上がり、さらに軸２を筒軸３４の周りに少し回転させることで軸２が図示しない構造によって筒軸３４に保持されてケレップ１（及び軸２）が下降しないように保持される。  
【００２１】
ヘアーキャッチャー３１と筒軸３４はストッパー１９によって支えられており、ケレップ１を持ち上げると排水栓用ヘヤーキャッチャー３０全体が排水開口部１３ａから離脱できるようになっている。そして、排水２０は排水開口部１３ａを通過して、Ｖ字形状ヘアーキャッチャー３１ａと水平形状ヘアーキャッチャー３１ｂの捕集リブ３２ａ、３２ｂ、３２ｃを通過して下流に流出される。
【００２２】
使用時間の経過とともに、排水開口部１３ａを通過する毛髪やごみがＶ字形状ヘアーキャッチャー３１ａに付着するとともに、図示しないオーバーフロー開口部からの毛髪やごみがオーバーフロー管１６を介して水平形状ヘアーキャッチャー３１ｂに付着する。
【００２３】
Ｖ字形状ヘアーキャッチャー３１ａにおいて、毛髪やごみは捕集部４４を中心に集積するので、第１の捕集リブ３２ａと第２の捕集リブ３２ｂの排水開口４５の上端部は塞がらない状態を保持できるので、排水２０は排水２０ａ、２０ｂとしてＶ字形状ヘアーキャッチャー３１ａを通過できる。
【００２４】
このため、排水開口４５が同時に塞がる可能性を減少することができるので排水性が向上する。さらに、排水性が向上するので毛髪やごみは排水管１４内面に直接付着し難いので、排水管１４の清掃はＶ字形状ヘアーキャッチャー３１ａの清掃だけでよいので、清掃性も向上する。
【００２５】
＜本発明の第２の実施形態＞
本発明の第２の実施形態を図５に基づいて説明する。なお、図１〜図４に示した排水栓用ヘヤーキャッチャーと同構成部分については図面に同符号を付して重複した説明を省略する。
【００２６】
図５に示すように、排水栓用ヘヤーキャッチャー３０は筒軸３４を介してＶ字形状ヘアーキャッチャー３１ａが下部に、水平形状ヘアーキャッチャー３１ｂが上部に配置される。
【００２７】
上記のように、Ｖ字形状ヘアーキャッチャー３１ａは第１の捕集リブ３２ａと第２の捕集リブ３２ｂの各捕集リブ間の上端部に排水開口４５が２箇所確保できるので排水開口４５が同時に塞がる可能性を減少することができるため排水性が向上する。
【００２８】
また、排水性が向上することで、Ｖ字形状ヘアーキャッチャー３１ａにおける排水がオーバーフロー管１６を介して洗面ボウル１３内に逆流する現象を防止することができる。以上、本発明の実施形態を図面に基づいて説明したが、上記の実施例はいずれも本発明の一例を示したものであり、本発明はこれらに限定されるべきでないということは言うまでもない。
【００２９】
Ｖ字形状ヘアーキャッチャー３１ａと水平形状ヘアーキャッチャー３１ｂの同時使用ではなくＶ字形状ヘアーキャッチャー３１ａの単独使用でも構わない。この場合、図５の状態で水平形状ヘアーキャッチャー３１ｂを取除いた構成で使用されるが、上記のように排水開口４５が２箇所確保できるので排水性が向上し、オーバーフロー管１６を介して洗面ボウル１３内に逆流する現象を防止することができる。洗面化粧台の洗面ボウルの排水口にヘアーキャッチャーを設ける例について説明したが、浴槽の排水口や台所の排水口にも同様に実施できる。
【図面の簡単な説明】
【００３０】
【図１】本発明の第１の実施形態における、排水栓用ヘヤーキャッチャー３０の取付け状態を示す側面断面図である。
【図２】本発明の第１の実施形態における、ヘアーキャッチャー３１の詳細構造を示す側面断面図ある。
【図３】本発明の第１の実施形態における、図２のＡ−Ａ断面図である。
【図４】本発明の第１の実施形態における、図２のＢ−Ｂ断面図である。
【図５】本発明の第２の実施形態における、排水栓用ヘヤーキャッチャー３０の取付け状態を示す側面断面図である。
【図６】従来例における、排水栓用ヘヤーキャッチャー１２の取付け状態を示す側面断面図である。
【符号の説明】
【００３１】
３０  排水栓用ヘヤーキャッチャー
３１  ヘアーキャッチャー
３１ａ  Ｖ字形状ヘアーキャッチャー
３１ｂ  水平形状ヘアーキャッチャー
３２  捕集リブ
３２ａ  第１の捕集リブ
３２ｂ  第２の捕集リブ
３２ｃ  捕集リブ
３３  先端部
３４  筒軸
【図１】
0004581940.tif 000002
【図２】
0004581940.tif 000003
【図３】
0004581940.tif 000004
【図４】
0004581940.tif 000005
【図５】
0004581940.tif 000006
【図６】
0004581940.tif 000007